(57)【特許請求の範囲】
【請求項１】
筒状の胴部、この胴部の一端側に設けた開口部、この開口部側で、前記胴部の外周方向に延長形成された第１のフランジ部、前記胴部の他端側に設けた第１の保護ガード部を有する本体ケースと、
この本体ケース内に配置された電動ファンと、
前記第１のフランジ部に対向する第２のフランジ部、前記開口部に対向する第２の保護ガード部を有し、前記本体ケースの前記開口部に、ねじ止めで装着される蓋体と、を備え、
前記本体ケースの前記胴部で、前記開口部側の内壁には第１のねじ締め部を設け、前記蓋体のうち、前記本体ケースの前記開口部側には、前記本体ケース内に突入されるとともに、その外周部に、前記第１のねじ締め部にねじ止めされる筒状の第２のねじ締め部を設け、
前記本体ケースの前記胴部外周で、前記開口部と前記第１の保護ガード部との間部分には、この胴部の外周から突出するコネクターケースを配置し、
このコネクターケース内には、前記電動ファンを電源ケーブルで電気的に接続するための電源コネクターを配置し、
前記本体ケースの前記第１のねじ締め部は雌ねじとし、前記蓋体の前記第２のねじ締め部は雄ねじとして、
前記蓋体において、前記第２のフランジ部側の外周部には、服地の取付孔への装着部を形成し、前記本体ケースの前記第１の保護ガード部側の外周部には、前記第２のねじ締め部としての前記雄ねじを形成し、前記装着部と、前記第２のねじ締め部としての前記雄ねじとの外径を略同一とした送風機。
【請求項２】
前記コネクターケースは、
コネクター配置用開口部を有するコネクターケース本体と、
前記コネクター配置用開口部に装着するコネクターケース蓋と、を備え、
前記コネクターケース本体を、前記本体ケースの前記胴部外周部で、前記開口部と前記第１の保護ガード部との間部分に配置した請求項１に記載の送風機。
【請求項３】
前記コネクターケースの前記コネクターケース本体と、前記本体ケースの前記胴部とが、合成樹脂による一体成型である請求項２に記載の送風機。
【請求項４】
請求項１から３のいずれか一つに記載の送風機の、前記蓋体の前記第２のねじ締め部が、服地の取付孔に、この服地の表側から、服地の裏側に突入され、前記服地の裏側において、前記蓋体の前記第２のねじ締め部が、前記本体ケースの前記第１のねじ締め部に螺合され、前記蓋体の前記第２のフランジ部と、前記本体ケースの前記第１のフランジ部とで、前記服地が挟まれた状態である冷却服。
【発明の詳細な説明】
【技術分野】
【０００１】
本発明は、送風機と、それを装着した冷却服に関するものである。
【背景技術】
【０００２】
送風機を服地に装着した冷却服が開発され、脚光を浴びている。
具体的には、前記送風機は、筒状の胴部、この胴部の一端側に設けた開口部、この開口部側で、前記胴部の外周方向に延長形成された第１のフランジ部、前記胴部の他端側に設けた第１の保護ガード部を有する本体ケースと、この本体ケース内に配置された電動ファンと、前記本体ケースの開口部に、ねじ止めで装着されるとともに、前記第１のフランジ部に対向する第２のフランジ部、前記開口部に対向する第２の保護ガード部を有する蓋体と、を備えた構成となっている。
また、前記本体ケースの胴部で、開口部側の内壁には第１のねじ締め部、前記蓋体の前記本体ケースの開口部側には、本体ケース内に突入されるとともに、その外周部に、前記第１のねじ締め部にねじ止めされる筒状の第２のねじ締め部を設けた構成となっている。
この送風機を取り付ける服地には、前記送風機を取り付けるための取付孔が設けられている。
したがって、前記送風機を服地に取り付ける場合には、先ず、送風機の、前記蓋体の第２のねじ締め部を、服地の取付孔に、この服地の表側から、服地の裏面側に突入させ、次に、前記服地の裏側において、前記蓋体の第２のねじ締め部を、本体ケースの第１のねじ締め部に螺合させ、前記蓋体の第２のフランジ部と、本体ケースの第１のフランジ部とで、前記服地を挟んだ状態とする（これに類似する先行文献としては下記特許文献１）。
【先行技術文献】
【特許文献】
【０００３】
【特許文献１】登録実用新案第３２２６２２４号公報
【発明の概要】
【発明が解決しようとする課題】
【０００４】
上記冷却服では、送風機に通電すると、蓋体の第２の保護ガード部を介して服地外の空気が本体ケース内に吸い込まれ、第１の保護ガード部から、本体ケース外、つまり、服地内に送風され、この空気で体を冷却することが出来、極めて快適なものとなる。
しかしながら、この送風機では、電動ファンに電源を供給するための電源コネクターを本体ケース内に設けているので、本体ケースが大きくなり、薄型化が求められている。
すなわち、電源コネクターに電動ファンが接触するのを避けるためには、本体ケース内において、電動ファンから電源コネクターを離す必要があり、その結果、本体ケースの第１の保護ガード部側が身体側に大きく突出した状態となり、これが、大型化につながってしまうのである。
【０００５】
そこで、本発明は送風機の薄型化を図るとともに、本体ケースへの蓋体のねじ止め作業が行いやすくすることを目的とするものである。
【課題を解決するための手段】
【０００６】
そして、この目的を達成するために本発明の送風機は、本体ケースの胴部外周で、一端側の開口部と他端側の保護ガード部との間部分に、この胴部の外周に突出するコネクターケースを配置するとともに、このコネクターケース内には、電源コネクターを配置し、この電源コネクターと前記電動ファンを電源ケーブルで、電気的に接続したものである。
また、本発明の送風機では、前記コネクターケースは、コネクター配置用開口部を有するコネクターケース本体と、前記コネクター配置用開口部に装着するコネクターケース蓋と、を備え、前記コネクターケース本体を、前記本体ケースの前記胴部外周部で、前記開口部と前記第１の保護ガード部との間部分に配置したものである。
また、本発明の送風機では、前記コネクターケースの前記コネクターケース本体と、前記本体ケースの前記胴部とが、合成樹脂による一体成型である。
また、本発明の送風機では、前記本体ケースの前記第１のねじ締め部は雌ねじとし、前記蓋体の前記第２のねじ締め部は雄ねじとしたものである。
また、本発明の送風機では、前記蓋体において、前記第２のフランジ部側の外周部には、服地の取付孔への装着部を形成し、前記本体ケースの前記第１の保護ガード部側の外周部には、前記第２のねじ締め部としての雄ねじを形成し、前記装着部と、前記第２のねじ締め部としての雄ねじとの外径を略同一としたものである。
また、本発明の冷却服では、上記送風機の、前記蓋体の前記第２のねじ締め部が、服地の取付孔に、この服地の表側から、服地の裏側に突入され、前記服地の裏側において、前記蓋体の前記第２のねじ締め部が、前記本体ケースの前記第１のねじ締め部に螺合され、前記蓋体の前記第２のフランジ部と、前記本体ケースの前記第１のフランジ部とで、前記服地が挟まれた状態である。
【発明の効果】
【０００７】
以上のように本発明の送風機は、本体ケースの胴部外周で、一端側の開口部と他端側の保護ガード部との間部分に、この胴部の外周に突出するコネクターケースを配置するとともに、このコネクターケース内には、電源コネクターを配置し、この電源コネクターと前記電動ファンを電源ケーブルで、電気的に接続したものである。
【０００８】
つまり、本体ケースの胴部外周で、一端側の開口部と他端側の保護ガード部との間部分に、この胴部の外周に突出するコネクターケースを配置し、電源コネクターを本体ケース外に配置したので、この本体ケースの開口部から第１の保護ガード部までの寸法を小さくすることができ、その結果として、薄型化が達成できるのである。
【０００９】
また、本体ケースと蓋体をねじ止めする作業時に、このコネクターケースに指をあてることで、ねじ止め回転操作が行いやすく、しかも、本体ケースの電源コネクター部分がどこに存在しているかの判定も容易となり、その後の、電源コネクターへの電源接続も容易となる。
【図面の簡単な説明】
【００１０】
【図１】本発明の一実施形態にかかる送風機を装着した冷却服を示す背面図
【図２】同送風機の斜視図
【図３】同送風機の分解斜視図
【図４】同送風機の斜視図
【図５】同送風機の分解斜視図
【図６】同送風機の斜視図
【図７】同送風機の側面図
【図８】同送風機の斜視図
【図９】同送風機の側面図
【図１０】同送風機の組立前の斜視図
【図１１】同送風機の蓋体の側面図
【図１２】同送風機の蓋体の変形例の側面図
【発明を実施するための形態】
【００１１】
（実施の形態１）
以下本発明の一実施形態を、添付図面を用いて説明する。
図１において、１は冷却服で、その背中部分の下方の左右に、二つの送風機２が装着されている。
つまり、本実施形態の冷却服１も、上記特許文献１と同じように、冷却服１の外側の空気が、この送風機２によって冷却服１内に取り込まれ、襟部分や袖部分から、冷却服１外に吹き出され、これにより身体の冷却を行うようにしている。
【００１２】
送風機２は、図２〜図９に示すように、合成樹脂製の本体ケース３と、蓋体４によって構成されている。
具体的には、本体ケース３は、円筒状の胴部５、この胴部５の一端側に設けた円形の開口部６、この開口部６側で、前記胴部５の外周方向に延長形成された第１のフランジ部７、前記胴部５の他端側に設けた網目状の第１の保護ガード部８を有する。
また、本体ケース３内には、図５に示すように電動ファン９が配置されている。この電動ファン９は、羽根車１０をモータ（図示せず）で回転駆動する構成となっている。
【００１３】
蓋体４は、前記本体ケース３の開口部６に、ねじ止めで装着されるものであり、前記本体ケース３の第１のフランジ部７に対向する第２のフランジ部１１、前記開口部６に対向する網状の第２の保護ガード部１２を有する。
【００１４】
次に、前記本体ケース３の胴部５で、開口部６側の内壁には、図５に示すように、第１のねじ締め部１３が設けられている。
これに対して、前記蓋体４の前記本体ケース３の開口部６側には、図３に示すように、本体ケース３内に突入されるとともに、その外周部に、前記第１のねじ締め部１３にねじ止めされる筒状の第２のねじ締め部１４が設けられている。
【００１５】
本実施形態で特徴的なのは、前記本体ケース３の胴部５外周で、一端側の開口部６と他端側の第１の保護ガード部８との間部分に、この胴部５の外周に突出したコネクターケース１５を配置したことである。
コネクターケース１５は、図１０のようにコネクター配置用開口部１６を有するコネクターケース本体１７と、このコネクター配置用開口部１６に装着するコネクターケース蓋１８とを備えている。
つまり、コネクターケース本体１７内には、図１０に示すように電源コネクター１９を配置し、この電源コネクター１９と前記電動ファン９を電源ケーブル２０で、電気的に接続している。
【００１６】
ここで、さらに詳細に説明すると、前記コネクターケース本体１７は、前記本体ケース３の胴部５外周部で、一端側の開口部６と他端側の保護ガード部８との間部分に配置されている。
つまり、コネクターケース本体１７は、本体ケース３の胴部５外周部で、一端側の開口部６と他端側の保護ガード部８との間部分に配置されており、開口部６側にも、保護ガード部８側にも突出していないということである。
【００１７】
この状態で、本体ケース３は、胴部５、保護ガード部８、第１のフランジ部７、第１の保護ガード部８、コネクターケース本体１７が、合成樹脂によって一体的に形成されている。
この状態では、特に、コネクターケース本体１７は、胴部５に一体化されているので、強度が強く、本体ケース３に蓋体４をねじ止めする作業時に、このコネクターケース本体１７に指をあてることで、ねじ止め回転操作を行いやすくすることもできる。
また、このねじ止め時に、本体ケース３の電源コネクター１９部分がどこに存在しているかの判定も容易となり、その後の、電源コネクター１９への電源接続も容易となる。
【００１８】
また、本体ケース３の胴部５外周で、一端側の開口部６と他端側の保護ガード部８との間部分に、この胴部５の外周に突出するコネクターケース本体１７を配置し、電源コネクター１９を本体ケース３外に配置したので、図７、図９に示すように、この本体ケース３の開口部６から第１の保護ガード部８までの寸法を小さくすることができ、その結果として、薄型化が達成できるのである。
【００１９】
なお、本実施形態においては、図５に示すように、前記本体ケース３の第１のねじ締め部１３は雌ねじ、図３に示すように、蓋体４の第２のねじ締め部１４は雄ねじとしている。
【００２０】
このため、冷却服１に送風機２を装着する時には、先ず、図１に示す冷却服１の服地に形成した円形の取付孔２１に、服地の表側から、服地の裏側に向けて、蓋体４の第２のねじ締め部１４を突入させ、次に、前記服地の裏側において、前記蓋体４の第２のねじ締め部１４に、本体ケース３の第１のねじ締め部１３を螺合させ、前記蓋体４の第２のフランジ部１１と、本体ケース３の第１のフランジ部７とで、前記服地を挟んだ状態とする。
本実施形態では、このような構成において、前記蓋体４の第２のねじ締め部１４は、図１１に示すように筒状で、この第２のフランジ部１１側の外周部には、服地の取付孔２１への装着部２２、本体ケース３の第１の保護ガード部８側の外周部には、第２のねじ締め部１４として雄ねじを形成している。
【００２１】
そして、前記装着部２１と第２のねじ締め部１４として雄ねじとの外径を略同一としている（図１１の寸法Ａ参照。）。
つまり、本実施形態では、服地の取付孔２１と、装着部２２と、第２のねじ締め部１４として雄ねじと、寸法を同じ状態としているので、冷却服１に送風機２を、ガタつきなく適切に装着することができる。
【００２２】
本実施形態の変形例として、図１２のような構成を採用することもできる。但し、図１２のように、蓋体４に、服地の取付孔２１と同径の装着部２２を設けないと、服地を、前記蓋体４の第２のフランジ部１１と、本体ケース３の第１のフランジ部７とで挟んだ状態としても、冷却服１に対して送風機２が、取付孔２１の部分で、ガタついてしまうことがあり、不適切な装着となることがある（同図の寸法Ｂ，Ｃ参照。）。
【００２３】
なお、図２、図３に示すように、コネクターケース蓋１８は、図１０で説明したように、電源コネクター１９と電源ケーブル２０を電気的に接続した後に、コネクターケース本体１７に装着されるものであり、本体ケース３と蓋体４のねじ止め作業時に、力が加わりにくい状態なので、本体ケース３に対して別体としていても、強度的な問題は発生しない。
【００２４】
なお、コネクターケース本体１７の電源コネクター１９に対応する部分には、電源供給用のコネクター（図示せず）を挿入するための開口２３が設けられており、この電源供給用のコネクター（図示せず）をスムーズに挿入するためにも、服地のどの方向に、電源コネクター１９が存在しているかを確認しながらの装着が重要となるのである。
【００２５】
以上、本発明の実施形態を詳述したが、本発明は上記実施形態に限定されるものではない。そして本発明は、特許請求の範囲に記載された事項を逸脱することがなければ、種々の設計変更を行うことが可能である。本発明の送風機は、冷却服などに活用される。
【符号の説明】
【００２６】
１  冷却服
２  送風機
３  本体ケース
４  蓋体
５  胴部
６  開口部
７  第１のフランジ部
８  第１の保護ガード部
９  電動ファン
１０  羽根車
１１  第２のフランジ部
１２  第２の保護ガード部
１３  第１のねじ締め部
１４  第２のねじ締め部
１５  コネクターケース
１６  コネクター配置用開口部
１７  コネクターケース本体
１８  コネクターケース蓋
１９  電源コネクター
２０  電源ケーブル
２１  取付孔
２２  装着部
２３  開口
【要約】
【課題】本発明は送風機と、それを装着した冷却服に関するもので、薄型化を図ることを目的とするものである。
【解決手段】送風機は、本体ケース３に蓋体をねじ止めするタイプの送風機において、本体ケース３の胴部５外周で、一端側の開口部と他端側の保護ガード部８との間部分に、この胴部５の外周に突出するコネクターケース本体１７を配置するとともに、このコネクターケース本体１７内には、電源コネクター１９を配置し、この電源コネクター１９と前記電動ファンを電源ケーブル２０で、電気的に接続したものである。
【選択図】図１０【図１】
0006883888.tif 000002
【図２】
0006883888.tif 000003
【図３】
0006883888.tif 000004
【図４】
0006883888.tif 000005
【図５】
0006883888.tif 000006
【図６】
0006883888.tif 000007
【図７】
0006883888.tif 000008
【図８】
0006883888.tif 000009
【図９】
0006883888.tif 000010
【図１０】
0006883888.tif 000011
【図１１】
0006883888.tif 000012
【図１２】
0006883888.tif 000013